(57)【要約】【課題】患者、病院等の多様なニーズに可能な限り対応できるような床頭台見本を簡易かつ低コストで提供する。【解決手段】床頭台を、冷蔵庫等を入れたり、収納スペースとして使用する下段部、引き出し、芯出しテーブルからなる中段部、テレビ等を設置する上段部、衣服を収納する後段部の各部位ごとに分離し、多様なニーズに沿って下段、中段、上段、後段それぞれの部位毎に１個以上の異なる形態のパーツを用意しておき、そのパーツを任意に組み合わせて仮止めし、床頭台見本を形成する。【選択図】図１
2005152535.tif 000002
【特許請求の範囲】
【請求項１】
床頭台を構成する複数の各部位毎に、それぞれ異なる形態、機能を有するパーツを、予め１個以上用意しておき、顧客のニーズや販売目的によって各部位毎に適切なパーツを選択し、あるいはある特定の部位ではパーツを選択しないで、各部位同士を仮止めすることによって形成されたことを特徴とする組立式床頭台見本
【請求項２】
床頭台を構成する複数の各部位が、上段部、中段部、下段部、及び後段部からなり、上段部にテレビ、下段部に冷蔵庫、後段部に衣服をそれぞれ収納できるようになっていることを特徴とする請求項１記載の組立式床頭台見本
【請求項３】
各部位同士をボルト・ナットによって仮止めすることを特徴とする請求項１又は請求項
２記載の組立式床頭台見本
【発明の詳細な説明】
【技術分野】
【０００１】
本発明は、病院や介護施設において患者のベッドの枕元に設置する床頭台に関するものである。
【背景技術】
【０００２】
病院等において、患者のベッドの枕元には、洗面用具、衣類、履物等の日常の生活用品を収納したり、冷蔵庫、テレビや人形や置物等を設置するための床頭台が置かれている。
この床頭台は、生活用品や冷蔵庫を収納するための収納スペースと、テレビを設置するための架台スペース、置物を置く棚、洋服を収納する衣裳ロッカー等から構成されている。収納物の収納のしかたや収納スペースの大きさ及び配置、及び各部位や全体の外観等は、それを使用する患者や病院の好みによって多様なものが求められている。
【０００３】
床頭台メーカーでは、このような患者や病院の多様なニーズに適応するため、各種の異なるタイプの床頭台を実物大見本として製作しておき、その各種の見本を患者や病院に見せ、実際に使い勝手を見てもらった上で、どのタイプの床頭台がよいかを決めてもらっている。
【０００４】
ところで床頭台は木製、プラスチック製、あるいはスチール製等で側板、天板、中間板、底板と引き出し、及び扉等によって一体に形成されており、これまでは実物大の見本の場合にもほぼ同様に形成されていた。
【特許文献１】特開平１１−１６９４１４号公報
【特許文献１】特開２００１−２３８１５１号公報
【発明の開示】
【発明が解決しようとする課題】
【０００５】
しかし、患者等の多様なニーズに答えるためには様々な見本を用意しておく必要があり、多くの見本を一体で形成しなければならないので、製作コストや時間がかかるし、それらの見本を保管する広い場所が必要である。
【課題を解決するための手段】
【０００６】
そこで、本発明は、床頭台を構成する複数の各部位毎に、それぞれ異なる形態、機能を有するパーツを１個以上用意しておき、患者や病院等の顧客のニーズや販売目的によって各部位毎に適切なパーツを選択し、あるいは選択しないで、各部位同士を仮止めすることによって、組立式床頭台を形成することを最も主要な特徴とする。
【発明の効果】
【０００７】
本発明の組立式床頭台見本は、床頭台を上段、中段、下段等の複数の各部位に分離し、各部位毎に異なる形態、機能をもつパーツを１個以上用意し、これらのパーツを組み立てて仮止めすることにより、形成できるので、簡易かつ低コストで患者や病院等の顧客の多様なニーズに合った床頭台の見本を提供することができる。また、各パーツを何種類か用意しておけば多様なニーズに対応できるので、床頭台見本の置き場に困るということもない。
【発明を実施するための最良の形態】
【０００８】
床頭台を上段、中段、下段及び後段の４つの部位に分け、各部位毎に、それぞれ異なる形態、機能をもつパーツを、予め１個以上（例えば図１に示すように下段部は３個、中段部は１個、上段部は４個、後段部は１個）用意しておき、顧客のニーズや販売目的によって各部位毎に適切なパーツを選択し、あるいは選択しないで、各部位同士をボルト・ナットで仮止めして、床頭台見本を形成する。
【実施例１】
【０００９】
図１は本発明に係る組立式床頭台見本の組立の仕方を説明する図である。図中１ａ〜１ｃは床頭台の下段部を構成するパーツであり、１ａは、上下に２つの引き出しがついたキャビネットタイプ、１ｂは下部が両開きの収納室で上部が引き出しとなったタイプ、１ｃは箱形のもので内部に冷蔵庫が収納できるようになっているタイプである。
【００１０】
次に２は床頭台の中段部を構成するパーツで、芯出しテーブルと引き出し収納部から構成され、側面にタオル掛けが設けられている。
【００１１】
次に３ａ〜３ｄは床頭台の上段部を構成するパーツであり、３ａはテレビを設置する台座だけのタイプ、３ｂはテレビの設置部分の上に人形や置物が置ける棚がついたタイプ、３ｃはテレビの設置部分の上に両開きの収納スペースのあるタイプ、３ｄは同じくテレビの設置部分の上に収納スペースのあるタイプであるが、その開閉方法が蛇腹式のものである。
【００１２】
次に４はその内部にハンガーで洋服が吊り下げられるようにしてある衣装ロッカーである。    
【００１３】
図２では、床頭台見本の上段部、中段部、下段部及び後段部の各パーツを実際に組立てて仮止めしたものである。図中(Ａ)は下段部に１ａ、中段部に２、上段部に３ｂ、後段部に４をそれぞれ選んだもので、芯出しテーブル２２を引き出し、衣装ロッカー４の扉を開けた状態を示す図である。
【００１４】
また、図中の(Ｂ)は下段部に１ｃ、中段部に２、上段部に３ｄをそれぞれ選んだもので、下段部に冷蔵庫１１が収納され、中段部に課金装置付テレビ２１が設置されている。
【００１５】
このように、下段については３種類、中段については２種類（有と無し）、上部については４種類、後段については２種類（有と無し）のパーツを選ぶことができる。したがって９個のパーツ（下段３、中段１、上段４、後段１）を作っておけば４８＝（３×２×４×２）種類の床頭台見本ができることになる。
そして各パーツは、図３に示すように接合面の４箇所にボルト・ナットで固定されているので、実際に床頭台として使用することが出来、１週間程度使用して実際の使い勝手をみることができる。
【００１６】
このようにして顧客が求める床頭台がどのようなものかが決まれば、その見本と同じ形状のものを組立式でない一体の床頭台として必要な台数だけ作ればよい。
【００１７】
図３は、下段部１と中段部２との仮止めの仕方を説明する断面図である。
下段部の上板には、４隅に４箇所ボルト孔が設けられ、それと対応する位置に中段部２の底板に同じ径のボルト孔が設けられており、下段部１と上段部２とは、ボルト１００とナット１０１によって４箇所で仮止めされる。
【００１８】
なお、仮止めの方法はボルト・ナットによるものに限らず、木ネジ、両面テープなどの方法によってもよい。
【図面の簡単な説明】
【００１９】
【図１】本発明に係る組立式床頭台見本の組立の仕方の説明図である。
【図２】本発明に係る組立式床頭台見本の組立後の状態を示す図である。
【図３】本発明に係る組立式床頭台見本の仮止めの仕方を示す断面図である。
【符号の説明】
【００２０】
１                          組立式床頭台見本の下段部
１ａ、１ｂ、１ｃ            組立式床頭台見本の下段部パーツ
２                          組立式床頭台見本の中段部
３                          組立式床頭台見本の上段部
３ａ、３ｂ、３ｃ、３ｄ      組立式床頭台見本の上段部パーツ
４                          組立式床頭台見本の後段部
１０                        組立式床頭台見本
１１                        冷蔵庫
２１                        課金装置付テレビ
２２                        芯出しテーブル
２３                        引き出し
１００                      ボルト
１０１                      ナット
１０２                      ワッシャー  
【図１】
2005152535.tif 000003
【図２】
2005152535.tif 000004
【図３】
2005152535.tif 000005